(57)【要約】【課題】  コドモの頃より、新しいズック靴を買って来てもらうと、靴を大切に使わず、その翌日から靴の踵を潰しては、スリッパの様にして履いていると、大変、履き易い物となり、他の多くの人々（友人達）もその様にしていた。この時、簡易にして、靴にも、スリッパの様にも応用できて、使用できる靴は出来ないか！と考えて、その課題の解決策を提供する。【解決手段】  現在、風呂場掃除用の靴（の形状のもの）を厚手の合成樹脂、プラスチック、ゴム製品等にし、（外履用、内履用）使用用途を之れ等に変更させて造り治し、カラー色を取り入れ、夏期日、靴ムレ防止用の通気穴を多く開けたものにし、「チョイ履き靴」に仕立て上げて用いたならば、（履き易くて、脱ぎ易い、）スリッパ状態や、靴状態の両方の機能を兼ね備え持つ靴になった。【選択図】図１
2019088753.tif 000002
【特許請求の範囲】
【請求項１】
現在、各家庭の風呂場等を掃除する際にみられる、地面に爪先をトントンと打ち付ける他、片足でコスリ上げれば、簡易にして、履いたり、脱いだり、履き替えられる、「丸首」型や、「波目」型の、風呂場用掃除靴を現在造られている簿手の素材品から、厚手のプラスチック、ゴム、合成樹旨等……。素材品等に変更し、之れに靴底を取り付ける他、多種、多様のカラー色や複数の通気孔を取り付けて、「チョイ履用靴」に使えて、造られる、「コルボックル波首カジュアルシューズ（Ｔ．７２４）」と、「コルボックル丸首カジュアルシューズ（Ｔ．７２５）」
【発明の詳細な説明】
【技術分野】
【０００１】  現在、各家庭の風呂場等を掃除する際にみられる、地面に爪先をトントンと打ち付ける他、片足でコスリ上げれば、簡易にして、履いたり、脱いだり、履き替えられる、「丸首」型や、「波目」型の、風呂場用掃除靴を現在、既に造られており、之れ等は、すぐに破れたり、壊れたりし易い簿手の（ナイロン、ビニール、プラスチック等……。）素材品で造られるのでは無く、厚手のプラスチックや、ゴム、合成樹脂等……。に変更し、この様にして、之れに靴底を取り付ける他、多種、多様のカラー色や、複数の通気孔を取り付けて、専ら、風呂場掃除用靴として、用いる物とはせず、水虫のできにくい、「チョイ履き用」の靴を造るに為する技術力が生じた。
【背景技術】
【０００２】  ・カジュアルシューズに、複数の通気孔を開けたのは、２００６−１３７０３６号、ペタスニックが最初である。
【先行技術文献】
【０００３】  ・カジュアルシューズに複数の通気孔を開けたのは、２００６−１３７０３６号、ペタスニックが最初である。
【発明の概要】
【発明が解決しようとする課題】
【０００４】  コドモの頃より、母親が新しい（運動）靴を買って来てくれると、ネェ、お前達、靴を覆く時、靴の踵を踏まない様にして、もっと靴を大切に使ってはくれないかい！」と、よく言い聴かせているのを空の耳に聴き流し、新しい靴を買って来てくれる翌日から、（運動）靴の踵を潰して歩いており、コドモの頃から靴の踵を潰して歩いていると、スリッパの様に「チョイ覆き靴」の様になって歩き易くなる事の癖は、どうにもなおらないでいた事を思い出していた。簡易にして、  靴にも、スリッパの様にもなって使用できる靴は、出来ないか！と、考えて、課題の解決策を提供する。
【課題を解決する為の手段】
【０００５】  孤児院（養護福祉）や、老人（養護）施設、他、精神病院施設等を見学に行った事があったが、そこでの長期入院している患者さん等は、個人部室から食堂（等）に行く迄の時には、運動靴を内覆きにして覆いているものであったが、食堂に行く時以外（トイレに行ったり、ベットの周りを歩く際、）その運動靴の踵を潰して歩き廻っている所を看護婦さんに見処められて注意されていた。――看護婦さんに見咎められて注意されていた原因（訳）とは、その（長期療養入院）ホーム内の患者さんが（睡眠薬投与中）ベッドから起きて歩く際に、（片方の）スリッパの踵を寝呆けて踏み付けて、倒れて（ケガをする）事件が続いたからであった。ワンタッチで（寝呆けていても、）靴やスリッパにして、（すぐに）変更できて、使える覆き物は出来ないか！と、考えた。
【発明の効果】
【０００６】  現在ワンコインショップ等で安価格で買い求め易く、各家庭に多く観られる、風呂場等を掃除する時に、スリッパから、その儘（人の脚だけで、）地面に爪先をトントンと打ち付けるだけですぐに履いたり、覆き替えられる、風呂場掃除用の靴の形状の物を丈夫にし、厚手の合成樹脂、プラスチック、ゴム製品等で、（外履き用、内履き用）使用用途に合わせて造り治し、「靴ムレ防止用」の通気穴を多く開けたものを用いて、「チョイ履き靴」に仕立て上けて用いたならば、大変具合いの良い物になった。
【図面の簡単な説明】
【０００７】
【図１】  現在、各家庭の風呂場等を掃除する時にスリッパからその儘（人の脚だけで、）地面に爪先をトントンと、打ち付けるだけで履いたり、履き替えられる風呂場掃除用の靴を表わし、それに、（相当の、）靴底を取り付けられている物を図示する他、之れ等の物に、カラー色や、（複数の、）通気孔を取り付け、厚手のプラスチックや、ゴム、合成樹脂……等で造られる、「コルボックル波首カジュアルシューズ（Ｔ．７２４）」や、「コルボックル丸首カジュアルシューズ（Ｔ．７２５）」を図示。
【０００８】
【図２】  本願発明される、右脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【０００９】
【図３】  本願発明される左脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【発明を実施する為の形能】
【００１０】  孤児院（養護福祉）や老人（養護）施設では、紙パンツを着けていても、おモラシをする人々がいて、大小便が靴の中に迄落ちて貯ってしまう際、ヘルパーさん等が、それをすぐに脱がせて、洗濯機等で容易にそれを洗い流し、（ズック製の靴の様なものでは、なかなかに乾かない様なものとは違って、）本発明、コルボックルシューズをその後、影干にすると、すぐに乾き、清潔を保つ事が出来る他、その様に通気孔が多く空けられているので、使用時には、水虫にもなりずらく、「チョイ履き用」に人の手の一切を使わずに、靴ベラも不要とし、「ズボッ」と之れに（人の）足を入れ、（人の足だけで、）地面に、コンコンと（爪先を）叩き、（人の）片足だけで之れをコスリ上げたり、コスリ降したりし、脱ぎ履き出来る（踵の踏み付け事故の無い）履き物が出来た。
【実施例】
【００１１】  コルボックルシューズは、通気孔穴が複数あって、現在、各家庭の風呂場等を掃除する時に、スリッパからその儘（人の脚だけで、）地面に爪先をトントンと打ち付けるだけで、履いたり、履き替えられる靴底のある風呂場掃除用の靴と同じ素形、型（原形）は同じ物であっても、之れ等の物をカジュアルシューズにして、その儘の（無色、透明）簿いビニール、ナイロン（プラスチック）等で、造られる物に際しては、すぐに消費者の飽きが来るものとなる他、使用途中、耐久性が弱くてすぐに破れたり壊れたりするものとなる際には、
【産業上の利用の可能性】
【００１２】  ――之れ等の物を厚手のプラスチックや、ゴム、合成樹等……。で造り、更に之れ等の物に、赤、青、黄色、灰色、黒色等の拒絶色や、カラフルな色彩色を付けると、丈夫になり、テーマーパークにあるネズミのキャラクター等の履物そっくりの靴が出来、大変に可愛らしい、「チョイ履き（カジュアル）靴」に観える事を、靴を製作する産業界が理解する際には、産業上の利用の可能性は極めて大きい物になった。
【符号の説明】（００
１．現在、各家庭の風呂場等を掃除する時に、スリッパからその儘（人の脚だけで、）地面に爪先をトントンと打ち付けるだけで、履いたり、履き替えられる、風呂場掃除用の靴に、２．靴底を取り付けた物を図示し、３．之れ等の物にカラー色や、（複数の、）通気孔を取り付け、厚手のプラスチックや、ゴム、合成樹脂……等で造られる「波首形」の靴形をしたコルボックルシューズを図示。４又、之れ等の物にカラー色や、（複数の、）通気孔を取り付け、厚手のプラスチックや、ゴム、合成樹脂……等で造られる、「丸首形」の靴型をしたコルボックルシューズを図示。５．コルボックルシューズでは、人の手や、指の一切を使わずに、片足の爪先を相方の（コルボックルシューズの）足の「波首（若しくは、丸首）」に引っ掛けて、下げ降したり、６．すり上げたりして履く事が出来る事を図示。７．コルボックルシューズの「波首形状」をしている事を図示。８．コルボックルシューズの「丸首形状」をしている事を図示。９．靴下を履いた人の足を表わす。
【図１】
2019088753.tif 000003
【図２】
2019088753.tif 000004
【図３】
2019088753.tif 000005
【手続補正書】
【提出日】平成29年12月4日(2017.12.4)
【手続補正１】
【補正対象書類名】明細書
【補正対象項目名】全文
【補正方法】変更
【補正の内容】
【発明の詳細な説明】
【技術分野】
【０００１】  現在、各家庭の風呂場等を掃除する際にみられる、地面に爪先をトントンと打ち付ける他、片足でコスリ上げれば、簡易にして履いたり、脱いだり、履き替えられる、「丸首」型や、「波目」型の、風呂場用掃除靴を、現在、既に造られており、之れ等は、すぐに破れたり、壊れたりし易い薄手の（ナイロン、ビニール、プラスチック等……。）素材品で造られるのでは無く、厚手のプラスチックや、ゴム、合成樹脂等……。に変更し、この様にして、之れに靴底を取り付ける他、多種、多様のカラー色や、複数の通気孔を取り付けて、専ら、風呂場掃除用靴として、用いる物とはせず、水虫のできにくい、「チョイ履き用」の靴を造るに為する技術力が生じた。
【背景技術】
【０００２】  ●カジュアルシューズに、複数の通気孔を開けたのは、２００６−１３７０３６号、ペタスニックが最初である。
【先行技術文献】
【０００３】  ●カジュアルシューズに複数の通気孔を開けたのは、２００６−１３７０３６号、ペタスニックが最初である。
【発明の概要】
【発明が解決しようとする課題】
【０００４】  コドモの頃より、母親が新しい（運動）靴を買って来てくれると、ネェ、お前達、靴を覆く時、靴の踵を踏まない様にして、もっと靴を大切に使ってはくれないかい！」と、よく言い聴かせているのを空の耳に聴き流し、新しい靴を買って来てくれる翌日から、（運動）靴の踵を潰して歩いており、コドモの頃から靴の踵を潰して歩いていると、スリッパの様に「チョイ履き靴」の様になって歩き易くなる事の癖は、どうにもなおらないでいた事を思い出していた。簡易にして、靴にも、スリッパの様にもなって使用できる靴は、出来ないか！と、考えて、課題の解決策を提供する。
【課題を解決する為の手段】
【０００５】  孤児院（養護福祉）や、老人（養護）施設、他、精神病院施設等を見学に行った事があったが、そこでの長期入院している患者さん等は、個人部屋から食堂（等）に行く迄の時には、運動靴を内履きにして覆いているものであったが、食堂に行く時以外（トイレに行ったり、ベッドの周りを歩く際、）その運動靴の踵を潰して歩き廻っている所を看護婦さんに見処められて注意されていた。――看護婦さんに見咎められて注意されていた原因（訳）とは、その（長期療養入院）ホーム内の患者さんが（睡眠薬投与中）ベッドから起きて歩く際に、（片方の）スリッパの踵を寝呆けて踏み付けて、倒れて（ケガをする）事件が続いたからであった。ワンタッチで（寝呆けていても、）靴やスリッパにして、（すぐに）変更できて、使える覆き物は出来ないか！と、考えた。
【発明の効果】
【０００６】  現在ワンコインショップ等で安価格で買い求め易く、各家庭に多く観られる、風呂場等を掃除する時に、スリッパから、その儘（人の脚だけで、）地面に爪先をトントンと打ち付けるだけですぐに覆いたり、覆き替えられる、風呂場掃除用の靴の形状の物を丈夫にし、厚手の合成樹脂、プラスチック、ゴム製品等で、（外履き用、内履き用）使用用途に合わせて造り治し、「靴ムレ防止用」の通気穴を多く開けたものを用いて、「チョイ履き靴」に仕立て上げて用いたならば、大変具合いの良い物になった。
【図面の簡単な説明】
【０００７】
【図１】  現在、各家庭の風呂場等を掃除する時にスリッパからその儘（人の脚だけで、）地面に爪先をトントンと、打ち付けるだけで履いたり、履き替えられる風呂場掃除用の靴を表わし、それに、（相当の、）靴底を取り付けられている物を図示する他、之れ等の物に、カラー色や、（複数の、）通気孔を取り付け、厚手のプラスチックや、ゴム、合成樹脂……等で造られる、「コルボックル波首カジュアルシューズ（Ｔ．７２４）」や、「コルボックル丸首カジュアルシューズ（Ｔ．７２５）」を図示。
【０００８】
【図２】  本願発明される、右脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【０００９】
【図３】  本願発明される左脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【発明を実施する為の形能】
【００１０】  孤児院（養護福祉）や老人（養護）施設では、紙パンツを着けていても、おモラシをする人々がいて、大小便が靴の中に迄落ちて貯まってしまう際、ヘルパーさん等が、それをすぐに脱がせて、洗濯機等で容易にそれを洗い流し、（ズック製の靴の様なものでは、なかなかに乾かない様なものとは違って、）本発明、コルボックルシューズをその後、影干しにすると、すぐに乾き、清潔を保つ事が出来る他、その様に通気孔が多く空けられているので、使用時には、水虫にもなりずらく「チョイ履き用」に人の手の一切を使わずに、靴ベラも不要とし、「ズボッ」と之れに（人の）足を入れ、（人の足だけで、）地面にコンコンと（爪先を）叩き、（人の）片足だけで之れをコスリ上げたり、コスリ降したりし、脱ぎ履き出来る（踵の踏み付け事故の無い）履き物が出来た。
【実施例】
【００１１】  コルボックルシューズは、通気孔穴が複数あって、現在、各家庭の風呂場等を掃除する時に、スリッパからその儘（人の脚だけで、）地面に爪先をトントンと打ち付けるだけで、履いたり、履き替えられる靴底のある、風呂場掃除用の靴と同じ素形、型（原形）は同じ物であっても、之れ等の物をカジュアルシューズにして、その儘の（無色、透明）簿いビニール、ナイロン（プラスチック）等で、造られる物に際しては、すぐに消費者の飽きが来るものとなる他、使用途中、耐久性が弱くてすぐに破れたり壊れたりするものとなる際には、
【産業上の利用の可能性】
【００１２】  ――之れ等の物を厚手のプラスチックや、ゴム、合成樹等……。で造り、更に之れ等の物に、赤、青、黄色、灰色、黒色等の拒絶色や、カラフルな色彩色を付けると、丈夫になり、テーマパークにあるネズミのキャラクター等の履物そっくりの靴が出来、大変に可愛らしい、「チョイ履き（カジュアル）靴」に観える事を、靴を制作する産業界が理解する際には、産業上の利用の可能性は極めて大きい物になった。
【符号の説明】
【００１３】１．現在、各家庭の風呂場等を掃除する時に、スリッパからその儘（人の脚だけで、）地面に爪先をトントンと打ち付けるだけで、履いたり、履き替えられる、風呂場掃除用の靴を厚手にして造り、２．靴底を取り付けた物を図示し、３．之れ等の物にカラー色や、（複数の、）通気孔を取り付け、厚手のプラスチックや、ゴム、合成樹脂……等で造られる「波首形」の靴型をしたコルボックルシューズを図示。４．又、之れ等の物にカラー色や、（複数の、）通気孔を取り付け、厚手のプラスチックや、ゴム、合成樹脂……等で造られる「丸首形」の靴型をしたコルボックルシューズを図示。５．コルボックルシューズでは、人の手や、指の一切を使わずに、片足の爪先を相方の（コルボックルシューズの）足の「波首（若しくは、丸首）」に引っ掛けて、下げ降したり、６．すり上げたりして履く事が出来る事を図示。７．コルボックルシューズの「波首形状」をしている事を図示。８．コルボックルシューズの「丸首形状」をしている事を図示。９．靴下を履いた人の足を表わす。
【手続補正２】
【補正対象書類名】図面
【補正対象項目名】全図
【補正方法】変更
【補正の内容】
【図１】
2019088753.tif 000006
【図２】
2019088753.tif 000007
【図３】
2019088753.tif 000008
【手続補正書】
【提出日】平成30年1月10日(2018.1.10)
【手続補正１】
【補正対象書類名】明細書
【補正対象項目名】全文
【補正方法】変更
【補正の内容】
【発明の詳細な説明】
【技術分野】
【０００１】  現在、各家庭の風呂場等を掃除する際にみられる、地面に爪先をトントンと打ち付ける他、片足でコスリ上げれば、簡易にして履いたり、脱いだり、履き替えられる、「丸首」型や、「波目」型の、風呂場用掃除靴を、現在、既に造られており、之れ等は、すぐに破れたり、壊れたりし易い簿手の（ナイロン、ビニール、プラスチック等……。）素材品で造られるのでは無く、厚手のプラスチックや、ゴム、合成樹脂等……。に変更し、この様にして、之れに靴底を取り付ける他、多種、多様のカラー色や、複数の通気孔を取り付けて、専ら、風呂場掃除用靴として、用いる物とはせず、水虫のできにくい、「チョイ履き用」の靴を造るに為する技術力が生じた。
【背景技術】
【０００２】  ●カジュアルシューズに、複数の通気孔を開けたのは、２００６−１３７０３６号、ペタスニックが最初である。
【先行技術文献】
【０００３】  ●カジュアルシューズに複数の通気孔を開けたのは、２００６−１３７０３６号、ペタスニックが最初である。
【発明の概要】
【発明が解決しようとする課題】
【０００４】  コドモの頃より、母親が新しい（運動）靴を買って来てくれると、ネェ、お前達、靴を履く時、靴の踵を踏まない様にして、もっと靴を大切に使ってはくれないかい！」と、よく言い聴かせているのを空の耳に聴き流し、新しい靴を買って来てくれる翌日から、（運動）靴の踵を潰して歩いており、コドモの頃から靴の踵を潰して歩いていると、スリッパの様に「チョイ履き靴」の様になって歩き易くなる事の癖は、どうにもなおらないでいた事を思い出していた。簡易にして、靴にも、スリッパの様にもなって使用できる靴は、出来ないか！と、考えて、課題の解決策を提供する。
【課題を解決する為の手段】
【０００５】  孤児院（養護福祉）や、老人（養護）施設、他、精神病院施設等を見学に行った事があったが、そこでの長期入院している患者さん等は、個人部室から食堂（等）に行く迄の時には、運動靴を内覆きにして覆いているものであったが、食堂に行く時以外（トイレに行ったり、ベットの周りを歩く際、）その運動靴の踵を潰して歩き廻っている所を看護婦さんに見処められて注意されていた。――看護婦さんに見咎められて注意されていた原因（訳）とは、その（長期療養入院）ホーム内の患者さんが（睡眠薬投与中）ベッドから起きて歩く際に、（片方の）スリッパの踵を寝呆けて踏み付けて、倒れて（ケガをする）事件が続いたからであった。ワンタッチで（寝呆けていても、）靴やスリッパにして、（すぐに）変更できて使える覆き物は出来ないか！と、考えた。
【発明の効果】
【０００６】  現在ワンコインショップ等で安価格で買い求め易く、各家庭に多く観られる、風呂場等を掃除する時に、スリッパから、その儘（人の脚だけで、）地面に爪先をトントンと打ち付けるだけですぐに覆いたり、覆き替えられる、風呂場掃除用の靴の形状の物を丈夫にし、厚手の合成樹脂、プラスチック、ゴム製品等で、（外履き用、内履き用）使用用途に合わせて造り治し、「靴ムレ防止用」の通気穴を多く開けたものを用いて、「チョイ履き靴」に仕立て上げて用いたならば、大変具合いの良い物になった。
【図面の簡単な説明】
【０００７】
【図１】  現在、各家庭の風呂場等を掃除する時にスリッパからその儘（人の脚だけで、）地面に爪先をトントンと、打ち付けるだけで履いたり、履き替えられる風呂場掃除用の靴を表わし、それに、（相当の、）靴底を取り付けられている物を図示する他、之れ等の物に、カラー色や、（複数の、）通気孔を取り付け、厚手のプラスチックや、ゴム、合成樹脂……等で造られる、「コルボックル波首カジュアルシューズ（Ｔ．７２４）」や、「コルボックル丸首カジュアルシューズ（Ｔ．７２５）」を図示。
【０００８】
【図２】  本願発明される、右脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【０００９】
【図３】  本願発明される左脚コルボックルシューズでは、人の手や、指の一切を使わずに、片足の爪先を相方のコルボックルシューズの足の「波首（若しくは、丸首）」に引っ掛けて下げ降したり、すり上げたりして履く事が出来る事を図示。
【発明を実施する為の形能】
【００１０】  孤児院（養護福祉）や老人（養護）施設では、紙パンツを着けていても、おモラシをする人々がいて、大小便が靴の中に迄落ちて貯ってしまう際、ヘルパーさん等が、それをすぐに脱がせて、洗濯機等で容易にそれを洗い流し、（ズック製の靴の様なものでは、なかなかに乾かない様なものとは違って、）本発明、コルボックルシューズをその後、影干にすると、すぐに乾き、清潔を保つ事が出来る他、その様に通気孔が多く空けられているので、使用時には、水虫にもなりずらく「チョイ履き用」に人の手の一切を使わずに、靴ベラも不要とし、「ズボッ」と之れに（人の）足を入れ、（人の足だけで、）地面に、コンコンと（爪先を）叩き、（人の）片足だけで之れをコスリ上げたり、コスリ降したりし、脱ぎ履き出来る（踵の踏み付け事故の無い）履き物が出来た。
【実施例】
【００１１】  コルボックルシューズは、通気孔穴が複数あって、現在、各家庭の風呂場等を掃除する時に、スリッパからその儘（人の脚だけで、）地面に爪先をトントンと打ち付けるだけで、履いたり、履き替えられる靴底のある風呂場掃除用の靴と同じ素形、型（原形）は同じ物であっても、之れ等の物をカジュアルシューズにして、その儘の（無色、透明）簿いビニール、ナイロン（プラスチック）等で、造られる物に際しては、すぐに消費者の飽きが来るものとなる他、使用途中、耐久性が弱くてすぐに破れたり壊れたりするものとなる際には、
【産業上の利用の可能性】
【００１２】  ――之れ等の物を厚手のプラスチックや、ゴム、合成樹等……。で造り、更に之れ等の物に、赤、青、黄色、灰色、黒色等の拒絶色や、カラフルな色彩色を付けると、丈夫になり、テーマーパークにあるネズミのキャラクター等の履物そっくりの靴が出来、大変に可愛らしい、「チョイ履き（カジュアル）靴」に観える事を、靴を製作する産業界が理解する際には、産業上の利用の可能性は極めて大きい物になった。
【符号の説明】
【００１３】１．現在、各家庭の風呂場等を掃除する時に、スリッパからその儘（人の脚だけで、）地面に爪先をトントンと打ち付けるだけで、履いたり、履き替えられる、風呂場掃除用の靴を厚手にして造り、２．靴底を取り付けた物を図示し、３．之れ等の物、にカラー色や、（複数の、）通気孔を取り付け、厚手のプラスチックや、ゴム、合成樹脂‥‥等で造られる、「波首形」の靴型をしたコルボックルシューズを図示。４．又、之れ等の物にカラー色や、（複数の、）通気孔を取り付け、厚手のプラスチックや、ゴム、合成樹脂……等で造られる、「丸首形」の靴型をしたコルボックルシューズを図示。５．コルボックルシューズでは、人の手や、指の一切を使わずに、片足の爪先を相方の（コルボックルシューズの）足の「波首（若しくは、丸首）」に引っ掛けて、下げ降したり、６．すり上げたりして履く事が出来る事を図示。７．コルボックルシューズの「波首形状」をしている事を図示。８．コルボックルシューズの「丸首形状」をしている事を図示。９．靴下を履いた人の足を表わす。